(57)【特許請求の範囲】
【請求項１】
複数のダイアルの外周に記された符号を利用者が選択した解錠符号列に合致させた際に解錠操作が可能になる符号合わせ錠において、
前記ダイアルは、解錠状態において初期符号列を構成する初期表示符号を備え、
かつ、初期表示符号を含む解錠符号列では施錠操作が禁止される符合合わせ錠。
【請求項２】
操作ノブの施解錠操作により往復動作する摺動シャフトに空転自在に外嵌され、前記摺動シャフトの往復動作毎に所定の初期回転位置に強制復帰するダイアルと、
操作ノブにより駆動されるロックギア駆動機構と、
ダイアルと同軸周りに回転自在で、前記ロックギア駆動機構により摺動シャフトの長手方向に駆動されてダイアルに接離するロックギアとを有し、
前記ロックギア駆動機構とロックギアとはロックギアの接離方向に連結されて操作ノブの施解錠操作方向に従って駆動されるとともに、
ロックギアは所定の初期回転位置以外でダイアルとの離間方向への移動が禁止される符号合わせ錠。
【請求項３】
操作ノブの施解錠操作により往復動作する摺動シャフトに空転自在に外嵌され、前記摺動シャフトの往復動作毎に所定の初期回転位置に強制復帰するダイアルと、
ロックギア駆動機構により摺動シャフトの長手方向に駆動され、係止部をダイアルの被係止部に係脱させて該ダイアルに接離する複数のロックギアとを有し、
前記ロックギア駆動機構とロックギアとはロックギアの接離方向に連結されて操作ノブの施解錠操作方向に従って駆動されるとともに、
ロックギアとダイアルには所定の回転位置関係において接続動作を禁止する係止不能部が形成される符号合わせ錠。
【請求項４】
前記ダイアルの外周には、初期回転位置において表示窓から表示される初期表示符号を含む複数の符号が外周上に等しいピッチで表示されるとともに、
前記ロックギアとダイアルの双方が初期回転位置にある際に接続動作が禁止される請求項３記載の符号合わせ錠。
【請求項５】
前記ロックギア駆動機構は、操作ノブの施解錠操作により摺動シャフトの長手方向に駆動されるスライダを有し、
かつ、スライダにはロックギアをダイアルとの接離方向に移動させる作動部が設けられる請求項２、３または４記載の符号合わせ錠。
【発明の詳細な説明】
【０００１】
【発明が属する技術分野】
本発明は符号合わせ錠に関するものである。
【０００２】
【従来の技術】
利用者が予め設定した解錠符号列にダイアルをセットした場合にのみ解錠可能な符号合わせ錠としては特開平８-４３８１号が知られている。この従来例は、平行に配置される２本のシャフトを備え、一方のシャフトには１〜０の１０種類の数字が表示されたダイアルが外嵌される。他方のシャフトには、外周に突起を備えた複数の閂部材が空転自在に外嵌され、各閂部材にはダイアルの外周に形成したギア部に噛合可能な歯車が外嵌される。
【０００３】
ダイアルを保持するシャフトは操作ノブの一回の施解錠操作により一往復動作し、ダイアルはシャフトの往復動作により”０”表示位置に強制回転する。歯車は操作ノブの操作により閂部材に沿って移動し、操作ノブを施錠側に回転すると閂部材の突起に嵌合して閂部材と一体となり、解錠側に回転すると突起との嵌合が解除されて閂部材に対して空転自在となる。さらに、閂部材を保持するシャフトには楔型突起が突設されており、閂部材は初期姿勢にある場合にのみシャフトに沿った移動が許容される。
【０００４】
以上の構成の下、解錠状態においてダイアルを回転させて任意の解錠符号列をダイアルにより形成すると歯車が閂部材上を空転する。この後、操作ノブを施錠方向に回転させると、閂部材がシャフトに沿って移動し、歯車と閂部材が一体となる。一方、ダイアルを保持しているシャフトは一往復してダイアルを”０”にセットし、同時に閂部材を対応する回転位置に回転させる。この状態で閂部材を保持しているシャフトの楔型突起は閂部材と干渉しており、閂部材のシャフトに沿った移動が禁止されているために、操作ノブの解錠方向への回転操作が禁止される（施錠状態）。
【０００５】
施錠状態から再びダイアルを初期に設定した解錠符号列に合わせると、閂部材は初期姿勢に復帰して操作ノブの解錠方向への操作が許容される（解錠状態）。
【０００６】
【発明が解決しようとする課題】
しかし、上述した従来例はケース内に閂部材の支軸と、ダイアルの支軸を配置するために、構造が複雑になる上に、装置全体をコンパクトに形成することができないという欠点がある。
【０００７】
また、解錠符号列設定状態においてすべてのダイアルは”０”を表示しており、この状態での施錠をゼロ設定防止機構により防止することによりすべてが”０”の解錠符号列の設定が禁止される。一方、符号”０”は例えば誕生日を解錠符号列に設定する場合等には必要な符号であり、”０”の使用を全く禁止すると使い勝手が悪くなるために、”０”を含んだ符号列を解錠符号列に設定することは禁止されない。この結果、例えば、一桁のみが”０”以外の符号列を解錠符号列に設定することは禁止されないが、一桁のみが”０”以外の符号からなる符号列を解錠符号列に許容することにより次のような問題が発生する。例えばロッカーに符号合わせ錠を設置した場合を想定すると、ロッカーへの荷物の出し入れ時に一桁が不用意に回転操作されることは頻繁に発生することであり、利用者が解錠符号列を意識することなく施錠操作をしてしまうと、解錠できなくなってしまう。同様の現象は利用者が不用意に一桁が動いたことに気づかずに、しかも施錠の意志なく操作ノブを施錠側に回転させた際にも生じる。
【０００８】
本発明は、以上の欠点を解消すべくなされたもので、構造が簡単で、かつ、小型化が可能な符号合わせ錠の提供を目的とする。また、本発明は他の目的は、コンパクト化が可能な利用者に解錠符号列を意識させることにより、不用意な施錠状態への移行を防止することのできる符号合わせ錠の提供にある。
【０００９】
【課題を解決するための手段】
本発明によれば上記目的は、
複数のダイアル１の外周に記された符号を利用者が選択した解錠符号列に合致させた際に解錠操作が可能になる符号合わせ錠において、
前記ダイアル１は、解錠状態において初期符号列２を構成する初期表示符号３を備え、
かつ、初期表示符号３を含む解錠符号列では施錠操作が禁止される符合合わせ錠を提供することにより達成される。
【００１０】
本発明において、ダイアル１の外周には解錠符号列を構成するための符号に加え、解錠符号列を構成しない初期表示符号３が表示される。解錠符号列を構成するための符号としては、例えば”１”から”０”までの１０種類の異なった符号を使用することができる。初期表示符号３としては、解錠符号列構成符号のいずれとも異なった符号が使用され、例えば”？”のように解錠符号列構成符号とは異質の符号を選択するのが望ましい。１０種類の数字を解錠符号列構成符号として使用する場合には、ダイアル１の外周は１１等分され、各々の領域に解錠符号列構成符号と初期表示符号３が表示される。
【００１１】
符号合わせ錠は解錠状態において初期表示符号３を含み、あるいは初期表示符号３のみからなる初期符号列２が構成されており、利用者はダイアル１を操作して初期表示符号３以外の解錠符号列構成符号により任意の解錠符号列を設定する。初期符号列２への復帰は上述した例えば特開平８-４３８１号の機構を利用することができる。
【００１２】
したがって本発明において、利用者の選択した解錠符号列に初期表示符号３が１個でも含まれていると施錠操作が禁止され、利用者にすべてのダイアル１を操作した任意の解錠符号列の設定を要求する。この結果、例えばいずれか１個のダイアル１が回転していることを気づかずに施錠の意志なく扉を閉塞し、扉の閉塞のみを目的として操作ノブ４等を施錠方向に回転操作しようとしても、操作ノブ４等を回転することができないために、不用意な施錠が行われることがない。
【００１３】
請求項２に係る発明は、
操作ノブ４の施解錠操作により往復動作する摺動シャフト５に空転自在に外嵌され、前記摺動シャフト５の往復動作毎に所定の初期回転位置に強制復帰するダイアル１と、
操作ノブにより駆動されるロックギア駆動機構と
ダイアル１と同軸周りに回転自在で、前記ロックギア駆動機構６により摺動シャフト５の長手方向に駆動されてダイアル１に接離するロックギア７とを有し、
前記ロックギア駆動機構６とロックギア７とはロックギア７の接離方向に連結されて操作ノブ４の施解錠操作方向に従って駆動されるとともに、
ロックギア７は所定の初期回転位置以外でダイアル１との離間方向への移動が禁止される符号合わせ錠である。
【００１４】
符号合わせ錠は利用者により施解錠方向に回転操作される操作ノブ４を備え、操作ノブ４が施錠位置から解錠位置、あるいは解錠位置から施錠位置に回転操作されると摺動シャフト５が一往復動作する。摺動シャフト５に空転自在に外嵌されるロックギア７はロックギア駆動機構６により摺動シャフト５の長手方向に駆動され、操作ノブ４を施錠方向に操作することにより後述するダイアル１との接続位置に移動し、操作ノブ４の解錠方向への操作により接続解除位置、すなわち離間位置に移動する。接続位置においてダイアル１と回転方向に連結されるロックギア７は初期回転位置でのみ摺動シャフト５の長手方向への移動が許容されており、移動禁止姿勢にロックギア７がある状態で操作ノブ４を回転させようとしてもロックギア駆動機構６のスライド動作がロックギア７に妨げられるために、回転操作をすることができない。操作ノブ４が施錠位置にあり、かつロックギア７が移動禁止姿勢にある状態が操作ノブ４を解錠方向に回転操作できなくなる施錠状態に対応する。
【００１５】
操作ノブ４が解錠位置にある際に、ロックギア７とダイアル１との接続は解除されており、ロックギア７の姿勢を変更することなくダイアル１のみを自由に摺動シャフト５回りに回転操作できる。この状態からダイアル１により任意の符号列に整列させてもロックギア７は初期回転位置に維持されているために、操作ノブ４を施錠方向に回転させることができる。操作ノブ４の施錠方向への操作によりロックギア７はダイアル１に接続し、さらに、摺動シャフト５はダイアル１を所定の初期回転位置に強制回転させる。ダイアル１の回転により各ロックギア７は初期回転位置から所定角度回転し、これ以降の操作ノブ４の回転操作を禁止して施錠状態に移行する。
【００１６】
施錠状態でダイアル１を設定した解錠符号列にセットすると、すべてのロックギア７は初期回転位置に復帰し、操作ノブ４の操作が可能になる。
したがってこの発明において、ロックギア７とダイアル１が同一の摺動シャフト５回りに装着されているために、構造が簡単になり、かつ、符号合わせ錠を小型化することができる。
【００１７】
請求項３に係る発明は、
適宜間隔をおいて摺動シャフト５に空転自在に外嵌される複数のダイアル１と、
ロックギア駆動機構６により摺動シャフト５の長手方向に駆動され、係止部８をダイアル１の被係止部９に係脱させて該ダイアル１に接離する複数のロックギア７とを有し、
前記ロックギア駆動機構６とロックギア７とはロックギア７の接離方向に連結されて操作ノブ４の施解錠操作方向に従って駆動されるとともに、
摺動シャフト５は操作ノブ４の施解錠操作により往復動作して所定の初期回転位置に強制回転させ、
かつ、ロックギア７とダイアル１には所定の回転位置関係において接続動作を禁止する係止不能部１０が形成される符号合わせ錠である。
【００１８】
本発明において、ロックギア７とダイアル１には係止部８と被係止部９が設けられる。これら係止部８と被係止部９はロックギア７、あるいはダイアル１の予め決定された回転ピッチに合致して設けられ、ロックギア７を摺動シャフト５に沿って移動させることにより相互に係止し合うことができる。係止部８と被係止部９には、突起と、これに嵌合可能な凹部の組み合わせ、あるいは噛合可能な歯車の組み合わせが利用できる。係止不能部１０は、上記組み合わせから凹部側要素を欠落させることにより構成することができ、該係止不能部１０に対応する回転位置においては、ロックギア７とダイアル１との接続が禁止され、操作ノブ４を操作してもロックギア７をダイアル１に接続することができなくなる。
【００１９】
したがってこの発明において、簡単な構造により設計時に設定した位置関係におけるロックギア７とダイアル１との接続を禁止することが可能となるために、ダイアル１に示された特定の符号を解除符号列から排除することが可能になる。
【００２０】
係止不能部１０を利用して特定の回転位置関係での施錠動作を制限した符号合わせ錠を構成するには、ダイアル１の外周に、初期回転位置において表示窓１１から表示される初期表示符号３を含む複数の符号が外周上に等しいピッチで表示し、ロックギア７とダイアル１の双方が初期回転位置にある際に接続動作が禁止されるようにすることで達成できる。
【００２１】
すなわち、摺動シャフト５に摺動、および空転自在に外嵌されるダイアル１の外周には解錠符号列を構成するための符号に加え、解錠符号列を構成しない初期表示符号３が表示される。解錠符号列を構成するための符号としては、例えば”１”から”０”までの１０種類の異なった符号を使用することができる。初期表示符号３としては、解錠符号列構成符号のいずれとも異なった符号が使用され、例えば”？”のように解錠符号列構成符号とは異質の符号を選択するのが望ましい。１０種類の数字を解錠符号列構成符号として使用する場合には、ダイアル１の外周は１１等分され、各々の領域に解錠符号列構成符号と初期表示符号３が表示される。摺動シャフト５の往復動作はダイアル１を初期回転位置まで強制回転させ、当該ダイアル１の初期回転位置において表示窓１１には初期表示符号３が現される。
【００２２】
したがって上述した構成による符号合わせ錠では、操作ノブ４が解錠位置にある場合にはロックギア７とダイアル１は接続することなく双方が初期回転位置に保持される。この状態にある場合には、ダイアル１との接続が禁止されるロックギア７が摺動シャフト５に沿って移動できないために、ロックギア駆動機構６を動作させることができず、操作ノブ４を回転操作することができない。この結果、操作ノブ４を施錠側に回転操作するにはすべてのダイアル１を操作して任意の解錠符号列を構成する必要が有り、請求項１に係る発明で述べたように不用意な施錠操作が確実に防止できる。
【００２３】
上述したロックギア駆動機構６は、操作ノブ４の施解錠操作により摺動シャフト５の長手方向に駆動されるスライダ１２を使用して構成することができる。スライダ１２とロックギア７とは作動部１３を介してロックギア７のダイアル１との接離方向に連結され、ロックギア駆動機構６を作動させると、ロックギア７列を直接駆動することができるために、ロックギア７のダイアル１への接離動作が確実になる。
【００２４】
【発明の実施の形態】
図１ないし１２に本発明の実施の形態を示す。符号合わせ錠はケース１４内に回転操作自在に保持される操作ノブ４を備える。操作ノブ４の先端にはケース１４表面に露出する摘み部４ａが形成される。なお、本明細書において摘み部４ａ、および後述する表示窓１１が現れる面を表面とする。操作ノブ４は終端部にシャフト部４ｂを備え、該シャフト部４ｂ終端にロックプレート１５が固定される。操作ノブ４を図１において実線で示す解錠位置から鎖線で示す施錠位置に回転操作するとロックプレート１５が扉本体等のストライカ１６を係止して扉体をロックし、解錠側に回転操作することにより係止が解除されて扉体の開放が可能になる。図６に示すように、操作ノブ４はフランジ４ｃを備え、ケース１４との間に介装されるクリックスプリング１７により図６（ａ）に示す解錠位置と図６（ｂ）に示す施錠位置にクリックストップする。なお、図６において４ｄはクリックスプリング１７を保持するためにフランジ４ｃから表面側に突設されるスタッドを示す。
【００２５】
上記操作ノブ４の回転中心を通る線ＣＬ上には所定ピッチでボス５ｂが突設された摺動シャフト５が配置され、摺動シャフト５と操作ノブ４とは、操作ノブ４の回転操作を摺動シャフト５の往復直線運動に変換するためのシャフト駆動機構１８により連結される。図７に示すように、シャフト駆動機構１８は、操作ノブ４のシャフト部４ｂに挿入されるリセットレバー１８ａと、摺動シャフト５の一端に連結されるスライダピース１８ｂとからなり、リセットレバー１８ａの表面側に突出した突起１８ｃがスライダピース１８ｂのＶ字状のガイド溝１８ｄに遊嵌する。組立性を配慮して、摺動シャフト５とスライダピース１８ｂとは摺動シャフト５の先端に形成されたフランジ部５ａをスライダピース１８ｂに嵌合させることにより連結される。
【００２６】
操作ノブ４を図７（ａ）、（ｂ）に示す解錠位置から施錠位置、あるいは施錠位置から解錠位置に回転操作すると、リセットレバー１８ａは操作ノブ４のシャフト部４ｂを中心として所定角度揺動して摺動シャフト５を長手方向に沿って駆動する。操作ノブ４を反対位置に回転操作するごとに、摺動シャフト５は一往復動作する。また、後述するクリックレバー２３のダイアル１への接離タイミングを調整するために、操作ノブ４のシャフト部４ｂとリセットレバー１８ａとの間には所定の空転角度θが設定される。なお、図７において１４ａはケース１４に凹設されるリセットレバー１８ａ収容凹部を示す。
【００２７】
図７において接離タイミングの調整は、操作ノブ４のシャフト部４ｂとリセットレバー１８ａとの間に遊び角θを設けることにより達成されているが、図８に示すように、スライダピース１８ｂのガイド溝１８ｄを変更してもよい。この変更例に係るガイド溝１８ｄはシャフト部４ｂの回転中心と同心の円弧部１８ｅと直線部１８ｆとを中心線ＣＬに対して対称位置に配置して形成され、突起１８ｃが円弧部１８ｅ内を移動する際にはスライダピース１８ｂは移動せず、直線部１８ｆ内を移動するときにのみスライダピース１８ｂに操作力を伝達する。
【００２８】
上記摺動シャフト５には複数のダイアル１、１・・が摺動シャフト５に対して空転自在に外嵌される。ダイアル１は外周に解錠符号列を構成可能な”１”から”０”までの１０種類の数字と、初期表示符号３である”？”が等ピッチ角で表示された円板状本体部１ｊを有し、ケース１４には各ダイアル１、１・・の符号の一つを表示するための表示窓１１が開設される。図９に示すように、円板状本体部１ｊにはギア保持筒１ｅと、ガイド筒部１ａが突設され、ガイド筒部１ａをケース１４に湾曲凹面形状に形成されたダイアル保持部１４ｂに載置してギア保持筒１ｅ内を挿通する摺動シャフト５の姿勢を維持する。さらに、ダイアル１はケース１４のダイアル収納凹部１４ｃ内に遊嵌され、中心線ＣＬ方向への移動が禁止される。ギア保持筒１ｅの内壁にはガイド部１ｆとカム面１ｄとが設けられる。ガイド部１ｆには摺動シャフト５のボス５ｂ形成部の断面形状にほぼ一致する貫通孔１ｃが開設され、カム面１ｄは前端側から後方に向けて移動してきた摺動シャフト５のボス５ｂを貫通孔１ｃの切欠部１ｂに導くように回転させる形状に形成される。
【００２９】
図３に示すように、ダイアル１はギア保持筒１ｅ同士を相互に突き当てた状態で摺動シャフト５に外嵌され、摺動シャフト５が往復動作してボス５ｂがカム面１ｄに当接すると、カム面１ｄには回転方向の力が発生しダイアル１は切欠部１ｂがボス５ｂに合致する角度まで回転する。この状態で図２（ａ）、（ｃ）、（ｅ）に示すようにケース１４のすべての表示窓１１にはダイアル１の初期表示符号３が現れる（ダイアル１の初期回転位置）。
【００３０】
各ダイアル１のギア保持筒１ｅにはロックギア７が空転自在に外嵌される。ロックギア７はダイアル１のギア保持筒１ｅに沿って移動可能であり、図３、４に示すように、ロックギア７間のピッチを一定に保持するために中継パイプ１９が介装される。中継パイプ１９はダイアル１のリング嵌合凹部１ｇ内に嵌合するリング部１９ａから４本の連結片１９ｂを突設させた円筒体で、各連結片１９ｂはダイアル１の後方側、すなわち、ガイド筒部１ａ側からダイアル１の脚貫通孔１ｈ（図９参照）を貫通し、ロックギア７の端面に当接する。
【００３１】
ロックギア７は図１０に示すように、ダイアル１の嵌合凹部１ｋに嵌合可能な径寸法を有し、嵌合凹部１ｋ内に突設される突起状の被係止部９に噛合可能な歯車部（係止部８）を後端面に備える。歯車部８の歯のピッチはダイアル１に表示される符号のピッチに等しく、そのうちの一ヶ所は埋められて係止不能部１０が形成される。さらに、ロックギア７は外周に、歯車部８の歯形に合致する２個の切欠部７ａ、７ａを有し、ケース１４側には該切欠部１ｂに嵌合可能なストッパ部２０が突設される。図１０に示すように、切欠部１ｂがケース１４のストッパ部２０に合致する回転位置が初期回転位置となり、ロックギア７は初期回転位置においてのみ中心線ＣＬ方向への移動が許容され、他の回転角度ではストッパ部２０に干渉するために移動が禁止される。また、ロックギア７が初期回転位置にあり、かつ、ダイアル１が初期回転位置にある場合には、ダイアル１の被係止部９は図１０（ａ）においてハッチングを施して示すように、ロックギア７の係止不能部１０に合致しており、この状態での噛合が禁止されるために、ロックギア７の摺動も禁止される。ダイアル１が相対回転して上記位置関係がくずれると、被係止部９は例えば図１０（ａ）において鎖線で示すように歯車部８のいずれかの歯に合致して中心線ＣＬ方向の移動が許容される。
【００３２】
上記ロックギア７はロックギア駆動機構６により摺動シャフト５の長手方向に駆動される。図１１に示すように、ロックギア駆動機構６は、操作ノブ４に形成されたギア部６ａと、ギア部６ａに噛合する往路駆動用係合爪２１ａと復路駆動用係合爪２１ｂとを備えたラチェットレバー２１と、ラチェットレバー２１が枢支されるスライダ１２とからなる。スライダ１２は後端位置の中継パイプ１９と前端位置のロックギア７を挟持しており、スライダ１２の往復動作にロックギア７を追随させる。図１１（ａ）、（ｂ）は施錠方向に操作ノブ４を回転操作した場合のロックギア駆動機構６の動作を示すもので、操作ノブ４を施錠方向（図１１（ａ）、（ｂ）における矢印方向）に回転操作すると、操作ノブ４のギア部６ａは操作角度の前半部を利用してほぼ１ピッチ分だけ往路駆動用係合爪２１ａを押しやってスライダ１２を移動させ、その後、ラチェットレバー２１はギア部６ａ上を空転する。また、図１１（ｃ）、（ｄ）に示すように、操作ノブ４を施錠位置から解錠位置側に反時計方向に回転操作した場合には、ギア部６ａはラチェットレバー２１の復路駆動用係合爪２１ｂを押しやってスライダ１２を原位置に復帰させる。また、この施錠位置から解錠位置への変更時にスライダ１２が拘束されていると、操作ノブ４を回転操作することはできない。ラチェットレバー２１は図１２に示すように、裏面側に突起２１ｃを備え、該突起２１ｃをケース１４に凹設されたラチェットガイド溝１４ｄに嵌合させられるため、スライダ１２は中心線方向への移動が規制される。また、ラチェットレバー２１はトーションスプリング２２によりギア部６ａとの噛合方向付勢される。
【００３３】
上記ダイアル１の回転操作に節度感を与え、いずれかの符号が表示窓１１に正確に対応するように、ダイアル１の外周には図１３に示すように、クリック突起１ｉが設けられ、ケース１４にはクリックレバー２３が配置される。クリック突起１ｉはダイアル１の外周に表示される符号の境界部に配置され、符号表示面の見切りを兼ねる。クリックレバー２３はダイアル１列に沿って配置され、各ダイアル１に対面する弾性変形部２３ａを備える。図１３に示すように、ダイアル１を所定角度回転させる毎にクリック突起１ｉにより弾性変形し、ダイアル１の回転操作に節度感を付与する。
【００３４】
さらに、この実施の形態はクリック解除機構２４を備える。クリック解除機構２４は図１４、１５に示すように、クリックレバー２３に設けられる操作片２３ｂと操作ノブ４のフランジ４ｃの裏面に突設される操作突起２４ａとを有し、操作突起２４ａは操作片２３ｂに設けられた操作凹溝２４ｂに嵌合する。クリックレバー２３はヒンジ２３ｃ回りに回動自在にケース１４に保持され、操作ノブ４が解錠位置、あるいは施錠位置にある際には図１３、１４に示すように、弾性変形部２３ａがダイアル１のクリック突起１ｉに接触する位置に保持する。この状態から操作ノブ４を回転操作すると、操作凹溝２４ｂに嵌合した操作突起２４ａが操作片２３ｂを外方に押しやる結果、クリックレバー２３は図１５に示すように回転し、弾性変形部２３ａはダイアル１の外周から離間する。空転角度θでのシャフト４ｂの回転により操作ノブ４のみが回転して、クリックレバー２３と操作突起２４ａの係合が解除され、ボス５ｂがカム面１ｄを押動するため、ダイアル１はスムーズに初期回転姿勢に移行する。また、弾性変形部２３ａとダイアル１の接離のタイミングは操作突起２４ａが挿入される操作凹溝２４ｂを適宜設定することにより調整することもできる。
【００３５】
クリック解除機構２４を設けることにより、摺動シャフト５が進退してダイアル１を強制的に初期回転姿勢に復帰させる際に、弾性変形部２３ａがダイアル１の外周から離間してダイアル１が回転しやすくなる。
【００３６】
したがってこの実施の形態において、利用者がロッカー等を使用していない状態（解錠状態）ではロックギア７、およびダイアル１が初期回転位置にあり、クリックレバー２３の弾性変形部２３ａはダイアル１に接している。この状態で表示窓１１には図２（ａ）に示すように、各ダイアル１の初期表示符号３が現れている。また、上述したようにダイアル１の被係止部９はロックギア７の係止不能部１０に正対しているために、ダイアル１を操作することなく操作ノブ４を施錠側に回転させようとしてもスライダ１２の摺動が禁止されているために、操作することができず、不用意な施錠操作が防止される。
【００３７】
符号合わせ錠を施錠状態に移行させるためには、図２（ｂ）に示すように、すべてのダイアル１を操作して初期表示符号３以外の符号（解錠符号列構成符号）のみで解錠符号列を構成する必要がある。解錠状態ではクリックレバー２３の弾性変形部２３ａがダイアル１の外周に圧接しているために、ダイアル１の操作に節度感をもたせることができ、かつ、ダイアル１の被係止部９を正確にロックギア７の対応する係止部８に正対させることができる。解錠符号列をセットした後、操作ノブ４を施錠方向に回転操作すると、スライダ１２が摺動して各ロックギア７をダイアル１側に移動させ、ダイアル１の被係止部９がロックギア７の対応する歯車部８の凹部に噛合する。この後、ダイアル１とロックギア７は回転方向に連結状態となり、次いで、操作ノブ４の回転操作により中心線ＣＬに沿って摺動する摺動シャフト５のボス５ｂがダイアル１のカム面１ｄに当接する。操作ノブ４をさらに回転させると、カム面１ｄは摺動シャフト５のボス５ｂにより回転方向の力を受け、ダイアル１は初期回転まで強制回転させられる。この結果、表示窓１１には図２（ｃ）に示すように、初期表示符号３による初期符号列２が表示される。ダイアル１の回転動作中は上記クリックレバー２３の弾性変形部２３ａはダイアル１の外周から離間しており、操作ノブ４の操作力を増加させることはない。ダイアル１の回転動作中はダイアル１にはロックギア７が噛合しており、ダイアル１の回転とともにロックギア７が回転する。一方、摺動シャフト５はダイアル１を初期回転位置に復帰させた後、復路を摺動して初期位置に復帰し、クリックレバー２３も原位置に復帰して弾性変形部２３ａがダイアル１の外周に接する。
【００３８】
上記操作により、操作ノブ４に連結されたロックプレート１５は例えばロッカーの本体に形成されたストライカ１６に係止することから扉体の開放が禁止され、施錠状態となる。施錠状態では図１０（ｂ）に示すように、ロックギア７は初期回転姿勢から回転して切欠部１ｂがケース１４のストッパ部２０に正対していないために、操作ノブ４を解錠側に回転させようとしてもロックギア７がストッパ部２０に衝接してスライダ１２の矢印Ｂ方向への摺動が禁止されるために、回転操作することができない。この施錠状態から図２（ｄ）に示すように、ダイアル１を当初設定した解錠符号列に合致させると、各ロックギア７は初期回転位置に復帰し、操作ノブ４の回転操作が許可される。解錠方向に操作ノブ４を回転させることにより、スライダ１２は操作ノブ４側に摺動しつつ後端位置の中継パイプ１９を押し付けてロックギア７を移動させ、ロックギア７とダイアル１との接続を解除し、摺動シャフト５は往復動作してダイアル１を初期回転位置に復帰させる。ダイアル１の回転動作時には、ロックギア７との接続が解除されているために、初期回転位置にあるロックギア７を動作させることなくダイアル１のみが初期回転位置に復帰し、図２（ｅ）に示すように初期状態となる。
【００３９】
さらに、この実施の形態は緊急解錠機構２５を備える。緊急解錠機構２５は、利用者が解錠符号列を忘れてしまった場合でも解錠操作を行えるようにするためのもので、図５に示すように、操作ノブ４にプラグ２６を組み込んで構成される。摘み部４ａは操作ノブ本体２７に挿入されるプラグ２６に連結され、さらにプラグ２６と操作ノブ本体２７とは連結用タンブラ２６ａを介して回転方向に連結される。操作ノブ４の摘み部４ａに回転操作力を与えると、プラグ２６、連結用タンブラ２６ａを介して操作ノブ本体２７に回転力が伝達され、操作ノブ本体２７に一体形成されるフランジ４ｃ、およびギア部６ａが回転する。
【００４０】
プラグ２６の連結用タンブラ２６ａは所定のキープレート２５ａ（非常解錠用キー）を挿入することによりプラグ２６内に退避させることができ、当該キーを差し込んだ状態でプラグ２６、および摘み部４ａを操作ノブ本体２７に対して独立して回転させることができる。利用者が解錠符号列を忘れた場合には、非常解錠用キー２５ａをプラグ２６に挿入すると、操作ノブ本体２７を回転させることなくプラグ２６に一体形成されるシャフト部４ｂを回転操作することができるために、ロックプレート１５とストライカ１６との係止を解除させることができる。なお、図５において１４ｆはケースカバーを示す。
【００４１】
また、非常解錠用キーを使用して扉体を開放しても、ロックギア７とダイアル１との接続関係は維持されており、そのまま扉体を施錠すると再び開放不能になるために、これを避けるために、符号解読手段２８が設けられる。符号解読手段２８は、図１６（ａ）に示すように、各ロックギア７に対応してケース１４に開口されるロックギア覗き窓２８ａと、ロックギア７の外周に表示される初期位置表示マーク２８ｂとからなる。ロックギア覗き窓２８ａは扉が開放状態の時にのみ外部に現れ、初期位置表示マーク２８ｂはロックギア７が初期回転位置にある場合にロックギア覗き窓２８ａから表示される。したがって、非常解錠用キーを利用して扉を開けた場合には、ロックギア覗き窓２８ａに初期位置表示マーク２８ｂが現れるまで各ダイアル１を回転操作すればよく、このとき表示窓１１に現れるダイアル１の符号列が解錠符号列を示すこととなる。
【００４２】
さらに、この実施の形態は図１６（ｂ）、（ｃ）に示す不正解錠コード検出防止手段２９を備える。不正解錠コード検出とは、施錠状態で操作ノブ４に解錠方向の回転力を加えながらダイアル１を操作した際に操作ノブ４が微少量回転することを利用して解錠符号列を不正に知ることで、かかる不正検出を防止するために、各ロックギア７の前端面にはギア状の係合部２９ａが形成される。一方、ケース１４のストッパ部２０はフォーク形状に形成され、図１６（ｃ）に示すように、ロックギア７が初期回転位置以外にある際であって、操作ノブ４に解錠方向の回転力を加えたとき、ロックギア７がストッパ方向に移動して先端が係合部２９ａに係合する。この状態においてダイアル１を操作しようとしてもダイアル１は回転することはない。
図１７以下に本発明の他の実施の形態を示す。なお、本実施の形態の説明において、上述した実施の形態と同一の構成要素は図中に符号を付して説明を省略する。
【００４３】
この実施の形態において、ダイアル１は外周に解錠符号列を構成可能な”１”から”０”までの１０種類の数字と、初期表示符号３である”？”が等ピッチで表示された円板状本体部１ｊの中心からギア保持筒１ｅを突出させて形成され、図２０に示すように、ギア保持筒１ｅの両端がケース１４のダイアル保持部１４ｂに支承されて所定位置に回転自在に装着される。また、円板状本体部１ｊのロックギア７との対向面には後述するロックギア７の嵌合円板部７ｂが嵌合可能な嵌合凹部１ｋが設けられ、さらに、嵌合凹部１ｋにはピン形状の被係止部９が設けられる。このダイアル１は、上述した実施の形態と同様に、ギア保持筒１ｅ内を貫通する摺動シャフト５の往復動作に伴って、カム面１ｄが摺動シャフト５のボス５ｂに押されて初期回転位置に強制復帰する。また、摺動シャフト５のぐらつきを防止するために、摺動シャフト５の後端はケース１４の後端壁面１４ｇに形成されたシャフト受け１４ｈに支承された後、ケースカバー１４ｆにより押さえつけられる（図１７参照）。
【００４４】
一方、ロックギア７は摺動筒７ｃの両端に嵌合円板部７ｂとギア円板部７ｄとを備え、ダイアル１のギア保持筒１ｅに空転かつ中心線ＣＬ方向に移動自在に外嵌される。嵌合円板部７ｂには上記ダイアル１の被係止部９が嵌合可能な円孔状の係止部８が各被係止部９に対応する位置に形成され、図２１（ａ）において破線で示すように、係止部８のいずれか１個が埋められて係止不能部１０とされる。
【００４５】
ロックギア７のギア円板部７ｄはギア部７ｅと、ギア部７ｅの歯形に一致する２個の切欠部７ａ、７ａを有し、図２１（ｂ）に示すように、切欠部７ａがケース１４のストッパ部２０に合致する初期回転位置でのみダイアル１の回転軸線方向への移動が許容される。また、ギア円板部７ｄのギア部７ｅは該ギア円板部７ｄの表層に形成され、操作ノブ４を解錠方向に操作してロックギア７を図２２（ａ）において矢印２１Ａ方向に移動させた際に、図２２（ｃ）に示すように、ケース１４のストッパ部２０に係止して操作ノブ４の回転を禁止することによって不正解錠コード検出防止手段２９が構成される。さらに、切欠７ａ、７ａ間には例えば蛍光色が塗布されて初期位置表示マーク２８ｂが表示され、ロックギア覗き窓２８ａと協同して符号解読手段２８が構成される（図２２（ａ）参照）。
【００４６】
上記ロックギア７を摺動シャフト５の中心線ＣＬ方向に駆動するロックギア駆動機構６は、上述した実施の形態と同様に、操作ノブ４に形成されたギア部６ａと、ギア部６ａに噛合するラチェットレバー２１と、ラチェットレバー２１を枢支するスライダ１２からなり、操作ノブ４に回転操作を与えることによりスライダ１２が摺動シャフト５の長手方向に摺動するように構成される。
【００４７】
スライダ１２は本体部１２ａからラチェットレバー２１の取り付け部１２ｂを延設して形成され、本体部１２ａの上面、およびケース１４の底壁に立設されるガイドピン１２ｃ、１４ｅをケース１４の天井部裏面に形成された図示しないガイド凹部、および本体部１２ａの底面に設けられたガイド凹部１２ｄに嵌合させて摺動シャフト５の長手方向に沿って移動可能とされる（図１７、１８参照）。また、スライダ１２の本体部１２ａには、ダイアル１、およびロックギア７を収容する収容凹部１２ｅ、１２ｆが開設され、収容凹部１２ｅ、１２ｆの境界には内方に向けて突出する作動部１３が設けられる。図１７、２１に示すように、作動部１３はロックギア７の嵌合円板部７ｂとギア円板部７ｄとの間に形成される隙間に嵌合し、摺動筒７ｃの外周を支える。ロックギア７、およびダイアル１を収容凹部１２ｅ、１２ｆ内に収容する構成をとることにより、ロックギア７等の組み込みは、ケース１４内にスライダ１２を載置した後、予め摺動シャフト５を挿通させたロックギア７、およびダイアル１を載せ、次いで、ケースカバー１４ｆを取り付けるだけで行うことができるために、組立作業性が向上する。また、各々のロックギア７はスライダ１２により直接駆動されるために、ロックギア７の接離動作の信頼性が高まる。
【００４８】
したがってこの実施の形態において、図２（ａ）に示す初期状態ではロックギア７は初期回転位置で図２０に示すようにダイアル１から離間しており、ダイアル１も初期符号列２を構成する初期回転位置にある。この状態でダイアル１の被係止部９はロックギア７の係止不能部１０に正対しており、操作ノブ４の施錠位置側への回転操作が禁止される。これに対し、初期表示符号３を全く含まない解錠符号列が構成されるようにダイアル１を回転させた後、操作ノブ４を施錠位置側（反時計方向）に回転すると、ラチェットレバー２１が作動してスライダ１２が摺動シャフト５の長手方向に移動する。スライダ１２の移動により各々のロックギア７も対応するダイアル１側に移動して係止部８がダイアル１の被係止部９に係止して接続状態となる。一方、摺動シャフト５は操作ノブ４の回転操作により一往復動作して接続されたロックギア７とともにダイアル１を初期回転位置に強制復帰させる。
【００４９】
施錠状態では図２２（ｂ）に示すように、ロックギア７の離間方向（図２２（ａ）における２１Ａ方向）への移動がストッパ部２０に遮られるために、ラチェットレバー２１も動くことができず、操作ノブ４を操作することができない。
【００５０】
また緊急解錠操作時には、キープレート２５ａをプラグ２６に挿入してプラグ２６を回転させることにより行うことができる。図１９に示すように、この実施の形態において、摺動シャフト５を移動させるスライダピース１８ｂは上述した実施の形態と同様にリセットレバー１８ａの突起１８ｃによって駆動されるが、リセットレバー１８ａは操作ノブ本体２７に係合し、操作ノブ４のシャフト部４ｂはリセットレバー１８ａに係合しない。
【００５１】
したがって、緊急解錠の操作時には、プラグ２６のシャフト部４ｂのみが回転して、ロックプレート１５とストライカ１６との係止が解除され、摺動シャフト５が移動することはない。
【００５２】
【発明の効果】
以上の説明から明らかなように、本発明によれば、符号合わせ錠の構造を簡単にすることができ、かつ、全体の大きさをコンパクトにすることができる。さらに、不用意な施錠動作を確実に防止できるので、使い勝手が良好になる。
【図面の簡単な説明】
【図１】本発明を示す平面図である。
【図２】本発明の使用方法を示す図で、（ａ）は初期状態における符号列を示す図、（ｂ）は解錠符号列をセットした状態を示す図、（ｃ）は施錠後の表示窓を示す図、（ｄ）は解錠のために解錠符号列をセットした状態を示す図、（ｅ）は解錠後の状態を示す図である。
【図３】解錠状態での図１の内部を示す図である。
【図４】施錠状態での図２の内部を示す図である。
【図５】図１の５Ａ-５Ａ線断面図である。
【図６】操作ノブ４のクリック移行動作を示す図である。
【図７】シャフト駆動機構を示す図で、（ａ）は解錠状態でのリセットレバーの状態を示す図、（ｂ）は解錠状態でのスライダピースの状態を示す図、（ｃ）は解錠状態から施錠状態への移行途上におけるリセットレバーの状態を示す図、（ｄ）は（ｃ）と同一状態でのスライダピースの状態を示す図、（ｅ）は施錠状態でのリセットレバーの状態を示す図、（ｆ）は施錠状態でのスライダピースの状態を示す図である。
【図８】スライダピースの変形例を示す図で、（ａ）は解錠状態における状態を示す図、（ｂ）は空転角度内での回転動作を示す図、（ｃ）は解錠状態から施錠状態への移行途上を示す図である。
【図９】ダイアルを示す図で、（ａ）は図３において９Ａ-９Ａ方向から見た正面図、（ｂ）は（ａ）の９Ｂ-９Ｂ線断面図、（ｃ）は裏面図である。
【図１０】ロックギアを示す図で、（ａ）は図３において１０Ａ-１０Ａ方向から見た正面図、（ｂ）は（ａ）の１０Ｂ-１０Ｂ線断面図、（ｃ）は裏面図である。
【図１１】ロックギア駆動機構を示す図で、（ａ）は解錠状態を示す図、（ｂ）は施錠操作途上を示す図、（ｃ）は施錠状態を示す図、（ｄ）は解錠操作途上を示す図である。
【図１２】ラチェットレバーの動作を示す図で、（ａ）は解錠状態を示す図、（ｂ）は解錠操作途上を示す図、（ｃ）は施錠操作途上を示す図である。
【図１３】ダイアルのクリック動作を示す図で、（ａ）はクリックストップ状態を示す図、（ｂ）はその途上を示す図である。
【図１４】クリック解除機構の動作しない状態を示す図で、（ａ）は正面図、（ｂ）は平面図である。
【図１５】クリック解除機構の動作状態を示す図で、（ａ）は正面図、（ｂ）は平面図、（ｃ）は動作状態における弾性変形部の状態を示す図である。
【図１６】ロックギアの背面を示す図で、（ａ）は符号解読手段を示す図、（ｂ）は初期回転位置を示す図、（ｃ）は不正解錠コード検出防止手段を示す図である。
【図１７】本発明の他の実施の形態を示す図３に対応する図である。
【図１８】図１７の断面図で、（ａ）は図１７の１８Ａ-１８Ａ線断面図、（ｂ）はダイアル保持部でのダイアルの保持部状態を示す断面図である。
【図１９】リセットレバーの動作を示す図で、（ａ）は初期状態における図１８の１９Ａ-１９Ａ線断面図、（ｂ）は初期状態における図１８の１９Ｂ-１９Ｂ線断面図、（ｃ）は摺動シャフトが往路終端まで移動した状態における（ａ）に対応する断面図、（ｄ）は摺動シャフトが往路終端まで移動した状態における（ｂ）に対応する断面図である。
【図２０】図１７の要部断面図で、（ａ）は初期回転位置におけるダイアルとロックギアを中心線ＣＬに沿って切った断面図、（ｂ）は（ａ）において２０Ｂ方向から見たダイアルの単体図である。
【図２１】ロックギアを示す図で、図２０（ａ）において２１Ａ方向から見た単体図、（ｂ）は図２０（ａ）の２１Ｂ-２１Ｂ線断面図である。
【図２２】図１７の要部断面図で、（ａ）はダイアルにロックギアが接続した状態におけるダイアルとロックギアを中心線ＣＬに沿って切った断面図、（ｂ）は上記状態における図２１（ｂ）に対応する断面図、（ｃ）はギア部がストッパ部に係止した状態を示す断面図である。
【符号の説明】
１          ダイアル
２          初期符号列
３          初期表示符号
４          操作ノブ
５          摺動シャフト
６          ロックギア駆動機構
７          ロックギア
８          係止部
９          被係止部
１０        係止不能部
１１        表示窓
１２        スライダ
１３        作動部
【図１】
0003720207.tif 000002
【図２】
0003720207.tif 000003
【図３】
0003720207.tif 000004
【図４】
0003720207.tif 000005
【図５】
0003720207.tif 000006
【図６】
0003720207.tif 000007
【図７】
0003720207.tif 000008
【図８】
0003720207.tif 000009
【図９】
0003720207.tif 000010
【図１０】
0003720207.tif 000011
【図１１】
0003720207.tif 000012
【図１２】
0003720207.tif 000013
【図１３】
0003720207.tif 000014
【図１４】
0003720207.tif 000015
【図１５】
0003720207.tif 000016
【図１６】
0003720207.tif 000017
【図１７】
0003720207.tif 000018
【図１８】
0003720207.tif 000019
【図１９】
0003720207.tif 000020
【図２０】
0003720207.tif 000021
【図２１】
0003720207.tif 000022
【図２２】
0003720207.tif 000023